(57)【要約】【課題】天井面に照明器具を取り付けることが容易でありかつ、薄型である照明器具を提供する。【解決手段】照明器具１は、発光部２とアーム部３を有している。発光部２とアーム部３を有する器具本体１７がある。発光部２は、平板状の基板１５に、ＬＥＤ４を実装した複数の光源ユニット６からなる。光源ユニット６には、入力端子と出力端子が備えられている。複数のアーム部３は器具本体１７の略中央付近で結合一体化されており、結合部上面側には器具取付け部５が設けられ天井面と接合させることができる。複数のアーム部３は、器具取付け部５を中心とし外側方向に放射状に伸びている。【選択図】図１
2013175340.tif 000002
【特許請求の範囲】
【請求項１】
半導体発光素子からなる平板状の発光部と、
前記発光部を支持するアーム部と、
前記アーム部と天井面を取り付ける器具取付け部とを有する器具本体であって、
前記アーム部は前記器具本体の略中央から外側に伸び、
前記発光部と前記アーム部が略同一平面上にあり
複数の前記発光部からなる
ことを特徴とする照明器具。
【請求項２】
請求項１記載に照明器具において、
前記アーム部が３本以上であり、
前記アーム部は等間隔に配意されていること
を特徴とする照明器具。
【請求項３】
請求項１または請求項２記載の照明器具において、
前記アーム部の内部に空間部が形成され、かつ、
前記空間部に点灯制御部が収納されていること
を特徴とする照明器具。
【請求項４】
請求項２を引用する請求項３記載の照明器具において、
前記点灯制御部は、
前記発光部の点灯を制御する点灯回路部と、
前記発光部の点灯状態を制御する制御回路部を有する構成であって、
前記点灯回路部と前記制御回路部がそれぞれ別々の前記空間部に収納されている
ことを特徴とする照明器具。
【請求項５】
請求項３または請求項４記載の照明器具において、
前記アーム部が絶縁材料からなり、
前記点灯制御部が金属により覆われている
ことを特徴とする照明器具。
【請求項６】
請求項１から請求項５いずれか１項記載の照明器具において、
前記発光部が前記アーム部上の任意の場所に変更できる
ことを特徴とする照明器具。
【請求項７】
請求項１から請求項６いずれか１項記載の照明器具において、
前記発光部が取り外し可能であって
種類の異なる前記発光部に変更できる
ことを特徴とする照明器具。
【請求項８】
請求項１から７いずれか１項記載の照明器具において、
前記発光部の下面側に透光性カバーを有する
ことを特徴とする照明器具。
【発明の詳細な説明】
【技術分野】
【０００１】
本発明は、照明器具に関する。
【背景技術】
【０００２】
住宅等における室内照明に用いられる照明装置として、光源に白熱電球を用いた照明器具が知られている。また、照明器具の落下を防ぐための機構も知られている。（特許文献１、特許文献２）
【先行技術文献】
【特許文献】
【０００３】
【特許文献１】特開２００１−３３８５１９号公報
【特許文献２】特開２００５−７８８４５号公報
【発明の概要】
【発明が解決しようとする課題】
【０００４】
しかしながら、上記先行技術文献における照明器具は、白熱電球を用いることから、光源の寿命が短く、光源の取替え作業など高所での作業を強いられることがある。また、照明器具自体の重量が重く、落下の危険性がある。
【０００５】
本発明は、上記背景技術に鑑みてなされたものであり、半導体発光素子を用いることにより、光源の長寿命化が望める。また、半導体発光素子の重さは非常に軽量であり、照明器具本体も軽量化を図ることが可能であり、落下の危険性を低減することが可能である。よって、上記に示すような照明器具を提供する。
【課題を解決するための手段】
【０００６】
上記課題を解決するために本発明では、半導体発光素子からなる平板状の発光部と、
前記発光部を支持するアーム部と、前記アーム部と天井面を取り付ける器具取付け部とを有する器具本体であって、前記アーム部は前記器具本体の略中央から外側に伸び、
前記発光部と前記アーム部が略同一平面上にあり複数の前記発光部からなる
ことを特徴とする照明器具をもちいる。
【０００７】
また、前記照明器具において、前記アーム部が３本以上であり、前記アーム部は等間隔に配意されていることを特徴とする照明器具であってもよい。
【０００８】
また、前記照明器具において、前記アーム部の内部に空間部が形成され、かつ、前記空間部に点灯制御部が収納されていることを特徴とする照明器具であってもよい。
【０００９】
また、前記照明器具において、前記点灯制御部は、前記光源部の点灯を制御する点灯回路部と、前記発光部の点灯状態を制御する制御回路部を有する構成であって、前記点灯回路部と前記制御回路部がそれぞれ別々の前記空間部に収納されていることを特徴とする照明器具であってもよい。
【００１０】
また、前記照明器具において、前記アーム部が絶縁材料からなり、前記点灯制御部が金属により覆われていることを特徴とする照明器具であってもよい。
【００１１】
また、前記照明器具において、前記発光部が前記アーム部上の任意の場所に変更できることを特徴とする照明器具であってもよい。
【００１２】
また、前記照明器具において、前記発光部が取り外し可能であって種類の異なる前記発光部に変更できることを特徴とする照明器具であってもよい。
【００１３】
また、前記照明器具において、前記発光部の下面側に透光性カバーを有することを特徴とする照明器具であってもよい。
【発明の効果】
【００１４】
本発明によれば、発光部に半導体発光素子を用いることにより、光源の長寿命化、照明器具自体の軽量化を図る。
【図面の簡単な説明】
【００１５】
【図１】本発明の実施形態１における照明器具１を斜め上から見た斜視図である。
【図２】実施形態１における照明器具１を斜め下からみた斜視図である。
【図３】実施形態１に用いるアーム部３およびふた部９の分解斜視図である。
【図４】実施形態１における点灯回路部の回路図である。
【図５】実施形態１における照明器具１の取付け時の斜め下からみた斜視図である。
【図６】実施形態１における照明器具１に透光性カバー１０を装着した際斜め下からみた斜視図である
【図７】実施形態２における照明器具１を上から見た図である。
【図８】実施形態３における照明器具１を斜め下から見た斜視図である。
【発明を実施するための形態】
【００１６】
（実施形態１）
実施形態１における照明器具１について図１〜６に基づいて説明する。照明器具１は、以下に示す、発光部２とアーム部３を有している。発光部２とアーム部３を有する器具本体１７がある。発光部２は、平板状の基板１５に、ＬＥＤ４を実装した複数の光源ユニット６からなる。光源ユニット６には、入力端子（図示せず）と出力端子（図示せず）が備えられている。複数のアーム部３は器具本体１７の略中央付近で結合一体化されており、結合部上面側には器具取付け部５が設けられ天井面と接合させることができる。複数のアーム部３は、器具取付け部５を中心とし外側方向に放射状に伸びている。
【００１７】
実施形態１では三角形の光源ユニット６を用いることによって発光部２を形成している。光源ユニット６は三角形であってもよいが、四角形、円、多角形などあらゆる形態を用いてもよい。空間の雰囲気に合わせ、光源ユニット６の形状を変更でき、演出に応じた照明器具を提供できる。
光源ユニット６にはネジ７が設けられている。このネジ７とビス（図示せず）を用いてアーム部３に取り付けられる。また、光源ユニット６とアーム部３の固定方法としては、ピンや爪など他の固定方法であってもよい。このように光源ユニット６を保持することによって、発光部２とアーム部３は略同一平面上に配置される。また、発光部２に設けられているコネクタ１８とアーム部３に設けられているソケット（図示せず、一般的に引っ掛けシーリングと呼ばれている）と器具取付け部５は電気的、機械的に接続される。このアダプタは、既存のものを用いることが可能である。
【００１８】
器具取付け部５の上面側には差込み刃５ａが設けられており、天井に設置されたアダプタ（図示せず）に差し込んで回転させることで、照明器具１を天井に着脱自在に取り付けることができる。この際、天井に設置されたアダプタ（図示せず）と器具取付け部５は電気的、機械的に接続されている状態である。この器具取付け部５は、既存の器具を用いることが可能である。
【００１９】
続いて基板１５の説明をする。基板１５は合成樹脂または金属性のいずれかであってもよい。金属性の場合は絶縁層を設ける必要がある。そして、絶縁層上にＬＥＤ４が実装されている。個々のＬＥＤ４同士は、電気的に並列または直列に接続されている。
【００２０】
また、実施形態１では、半導体発光素子としてＬＥＤ４を用いていることから、長期の光源寿命が期待できる。従来の白熱電球よりもＬＥＤ４の光源寿命が長く、交換の手間を省くことを実現した。そして、白熱電球であればランプ嵩があるのに対し、ＬＥＤ４を用いることで、大幅な薄型化を実現することができる。その上、色温度の異なるＬＥＤ４を用いることで任意の調色が可能であり、使用者の望む照明器具１を提供することが可能である。
【００２１】
また、白熱電球を光源として用いるものと、ＬＥＤ４を光源として用いるものを比較すると光源寿命がＬＥＤ４の方が長い。すなわち、照明器具１が設置されているであろう、高所での光源取替え作業を省くことができ、使用者にとっての利便性向上につながる。その上、消費電力も比較してみると、ＬＥＤ４の方が消費電力は少ない。なお、光源については、ＬＥＤ４に限らず、有機ＥＬ発光素子も用いても同様の効果を奏することが可能である。
【００２２】
また、図示はしていないが、発光部２の後面すなわち、天井面側にもＬＥＤ４を実装することで、天井面の照度を確保することが可能となる。発光部２の後面に限らず、アーム部３の後面にもＬＥＤ４を設けることが可能である。このように、前面および後面を照射することによって、部屋の空間に広がりを持たせることが可能となる。その結果、空間全体の美観を保つことのできる、薄型の照明器具１を提供することができる。
【００２３】
図３には、照明器具１の骨組みとなるアーム部３および基板装着部１１およびふた部９の展開図を示している。基板装着部１１は図３に示されるように、発光部２から延びたネジ７をビス止めするために空洞となっている。またアーム部３の任意の２箇所の空間部８には、点灯回路部１２と制御回路部１３が設けられている。このように、点灯回路部１２と制御回路部１３を別々のアーム部３内に収納するこができる。別々のアーム部３の空間部８に、点灯回路部１２および制御回路部１３を設置することによって、それぞれ間隔をもって設置することができる。すなわち、点灯回路部１２から発生するノイズが制御回路部１３へ印加されるのを防止することができるため、照明器具１の誤作動を低減させることができる。
【００２４】
また、アーム部３が絶縁材料からなるので、発光部２表面と点灯回路部１２および制御回路部１３との間に電気的接続がなくなり、発光部２から発生するノイズがアーム部３に伝播して点灯回路部１２および制御回路部１３に印加されるのを防止することができる。また、点灯回路部１２および制御回路部１３が金属で覆うことで、照明器具１外部からのノイズの影響を低減させることができる。その結果、照明器具１の誤動作をさらに低減することができる。さらに、点灯回路部１２および制御回路部１３から発生するノイズが照明器具１外部に影響を与えることを防止することができる。
【００２５】
さらに、点灯回路部１２と制御回路部１３が収納された空間部８とは別の空間部８には、外部のリモコン送信機（図示せず）からのリモコン信号を受信する受信部（図示せず）と、発光部２の調光レベル等の点灯状態や寿命時期を表示する点灯状態表示部１６とを備えたリモコン制御部（図示せず）が備えられている。
【００２６】
このように、アーム部３の内部に回路装置を収納することによって、アーム部３のみで照明器具１を形成することができ、構造が簡単であるとともに、薄型化かつデザイン性に優れた照明器具１を得ることができる。
【００２７】
そして、本実施形態では、奇数本のアーム部３を用いることにより、アーム部３同士が直線的に並ぶことがなく、偶数本のアーム部３を用いた場合に比べて方向性がなくなる。そのため、天井面等へ取り付けの際に、取り付ける方向を意識しなくてもよくなり、デザイン性、施工性に優れた照明器具１を得ることができる。さらに、３本以上のアーム部３を用いて発光部２を支持するため、照明器具１全体の安定性がよくなる。
【００２８】
また、奇数本のアーム部３のうち、３本のアーム部３を有する照明器具１であれば、図５に示すように、照明器具１を器具取付け部５に装着する際、指に引っ掛かる形状となり、装着が容易になる。
【００２９】
図６に示すように照明器具１には、透光性カバー１０を装着してもよい。透光性カバー１０を用いることによって、光の拡散または光色が容易に調整することが可能となる。透光性カバー１０の素材としては、アクリル樹脂またはガラス性などが考えられるが、その他の素材を用いてもよい。透光性カバー１０は止め具１４によってアーム部３と固定されている。
（実施形態２）
実施形態１で示したものと同様の構造部分は説明を省略する。図７で示すようにアーム部３が偶数本であってもよい。図７にはアーム部３が４本の照明器具１を示している。また光源ユニット６を四角形のものを用いている。このように、照明器具１の形状と光源ユニット６の形状を近似させることで、美観を損なうことのない、統一感のある照明器具１を提供することができる。
【００３０】
また、アーム部３は４本に限られることはなく、４本以上の偶数本であってもよい。
（実施形態３）
実施形態１で示したものと同様の構造部分は説明を省略する。図８で示す照明器具１はアーム部３上にレール部１９を有している。このレール部１９には発光部２を設置することが可能となっている。レール部１９上の任意の場所に発光部２を設置することで、所望の場所を照射することが可能である。また、発光部２が容易に着脱可能な構造をしており、使用者が自由に発光部２を変更することが可能である。例えば、図８で示すように、円形の発光部２を設置することや、色温度のことなる発光部２を設置することが可能である。
【産業上の利用可能性】
【００３１】
本発明は、小型化かつ意匠性に優れた照明器具を提供するものであって、室内空間において美観性を崩すことなく、限られた空間内を照明する際に活用することができる。
【符号の説明】
【００３２】
１  照明器具
２  発光部
３  アーム部
４  ＬＥＤ  （半導体発光素子）
５  器具取付け部
５ａ  差込み刃
６  光源ユニット
７  ネジ
８  空間部
９  ふた部
１０  透光性カバー
１１  基板装着部
１２  点灯回路部（点灯制御部）
１３  制御回路部（点灯制御部）
１４  止め具
１５  基板
１６  点灯状態表示部
１７  器具本体
１８  コネクタ
１９  レール部
【図１】
2013175340.tif 000003
【図２】
2013175340.tif 000004
【図３】
2013175340.tif 000005
【図４】
2013175340.tif 000006
【図５】
2013175340.tif 000007
【図６】
2013175340.tif 000008
【図７】
2013175340.tif 000009
【図８】
2013175340.tif 000010